(57)【要約】【課題】ユーザの習熟度を的確に判定してガイダンス情報の表示／非表示を適切に切り替えることができる撮像装置、撮像装置の制御方法および制御プログラムを提供する。【解決手段】累積撮影コマ数カウント部１０２が、過去に撮影した画像のコマ数の累積値である累積撮影コマ数をカウントし、習熟度判定部１０３が、累積撮影コマ数カウント部１０２によりカウントされた累積撮影コマ数が多いほどユーザの習熟度が高いと判定し、表示切り替え部１０４が、習熟度判定部１０３により判定された習熟度に基づいて、操作部４１の操作に応じて機能設定部１０１が設定する機能についてのガイダンス情報を表示させるか否かを切り替える。【選択図】図３
2012019341.tif 000002
【特許請求の範囲】
【請求項１】
ユーザが操作する操作手段と、
前記操作手段の操作に応じて画像撮影の機能を設定する設定手段と、
前記操作手段の操作により設定可能な前記機能の説明と前記機能を設定するための操作方法の少なくともいずれかを含むガイダンス情報を記憶するガイダンス情報記憶手段と、
前記ガイダンス情報を表示可能な表示手段と、
過去に撮影した画像のコマ数の累積値である累積撮影コマ数をカウントする累積撮影コマ数カウント手段と、
前記累積撮影コマ数が多いほどユーザの習熟度が高いと判定する習熟度判定手段と、
判定された前記習熟度に基づいて、前記表示手段に前記ガイダンス情報を表示させるか否かを切り替える表示切り替え手段と、を備えることを特徴とする撮像装置。
【請求項２】
前記習熟度判定手段は、前記累積撮影コマ数に応じた３段階以上の複数のレベルでユーザの習熟度を判定し、
前記表示切り替え手段は、複数の前記機能に対応する複数の前記ガイダンス情報の各々について、前記表示手段に表示させるか否かを、判定された前記習熟度のレベルに基づいて個別に切り替えることを特徴とする請求項１に記載の撮像装置。
【請求項３】
前記表示切り替え手段は、前記表示手段に前記ガイダンス情報を表示させない場合に、判定された前記習熟度を前記表示手段に表示させることを特徴とする請求項１または２に記載の撮像装置。
【請求項４】
前記表示手段が前記ガイダンス情報を表示する際に、前記ガイダンス情報に対応する音声を出力する音声出力手段をさらに備えることを特徴とする請求項１〜３のいずれか一項に記載の撮像装置。
【請求項５】
前記累積撮影コマ数カウント手段は、カウントした累積撮影コマ数を日毎にリセットすることを特徴とする請求項１〜４のいずれか一項に記載の撮像装置。
【請求項６】
前記機能を設定したときからの経過時間をカウントする経過時間カウント手段をさらに備え、
前記習熟度判定手段は、前記累積撮影コマ数が多く、且つ、前記経過時間が短いほど、前記習熟度が高いと判定することを特徴とする請求項１〜５のいずれか一項に記載の撮像装置。
【請求項７】
前記機能の累積設定回数をカウントする累積設定回数カウント手段をさらに備え、
前記習熟度判定手段は、前記累積撮影コマ数が多く、且つ、前記累積設定回数が多いほど、前記習熟度が高いと判定することを特徴とする請求項１〜５のいずれか一項に記載の撮像装置。
【請求項８】
前記機能を設定したときからの経過時間をカウントする経過時間カウント手段と、
前記機能の累積設定回数をカウントする累積設定回数カウント手段と、をさらに備え、
前記習熟度判定手段は、前記累積撮影コマ数が多く、且つ、前記経過時間が短く、且つ、前記累積設定回数が多いほど、前記習熟度が高いと判定することを特徴とする請求項１〜５のいずれか一項に記載の撮像装置。
【請求項９】
ユーザが操作する操作手段と、
前記操作手段の操作に応じて画像撮影の機能を設定する設定手段と、
前記操作手段の操作により設定可能な前記機能の説明と前記機能を設定するための操作方法の少なくともいずれかを含むガイダンス情報を記憶するガイダンス情報記憶手段と、
前記ガイダンス情報を表示可能な表示手段と、を備える撮像装置の制御方法であって、
過去に撮影した画像のコマ数の累積値である累積撮影コマ数をカウントするステップと、
前記累積撮影コマ数が多いほどユーザの習熟度が高いと判定するステップと、
判定した前記習熟度に基づいて、前記表示手段に前記ガイダンス情報を表示させるか否かを切り替えるステップと、を含むことを特徴とする撮像装置の制御方法。
【請求項１０】
ユーザが操作する操作手段と、
前記操作手段の操作に応じて画像撮影の機能を設定する設定手段と、
前記操作手段の操作により設定可能な前記機能の説明と前記機能を設定するための操作方法の少なくともいずれかを含むガイダンス情報を記憶するガイダンス情報記憶手段と、
前記ガイダンス情報を表示可能な表示手段と、を備える撮像装置により実行される制御プログラムであって、
前記撮像装置に、
過去に撮影した画像のコマ数の累積値である累積撮影コマ数をカウントする機能と、
前記累積撮影コマ数が多いほどユーザの習熟度が高いと判定する機能と、
判定した前記習熟度に基づいて、前記表示手段に前記ガイダンス情報を表示させるか否かを切り替える機能と、を実現させることを特徴とする制御プログラム。
【発明の詳細な説明】
【技術分野】
【０００１】
本発明は、画像を撮影する撮像装置、撮像装置の制御方法および制御プログラムに関する。
【背景技術】
【０００２】
デジタルカメラなどの撮像装置においては、操作に習熟していないユーザであってもシャッタを押すだけで簡単に綺麗な画像を撮影できるようにするために、最適な撮影シーンの自動判別やマクロ撮影の自動オンなど、様々な自動化技術が搭載されている。また、他人とは少し違った画像を撮影したい、カメラの設定を変更していつもとは少し雰囲気を変えて画像を撮影したいと考えるものの、機能の使い方がよく分からないというユーザの要望に応えるために、画像撮影に関わる機能の説明や機能を設定するための操作方法などを簡単に示したガイダンス情報を画像モニタ上に表示することも行われている。
【０００３】
このようなガイダンス情報は、機能の概要や操作方法をユーザに伝えるには有効である反面、カメラの操作を熟知したユーザにとっては、ガイダンス情報の表示自体が煩わしく感じられる場合もある。このため、現在普及している多くのデジタルカメラは、ガイダンス情報の表示／非表示をユーザが選択できるようにしている。
【０００４】
また、この種のガイダンス情報の表示機能を持つ各種情報処理装置においては、装置の操作状況からユーザの習熟度を判定し、ユーザの習熟度に応じてガイダンス情報の表示／非表示を切り替えるようにしたものも知られている。例えば、特許文献１には、パーソナルコンピュータやＰＤＡ、携帯電話機等の端末装置に実装される操作補助装置において、ガイダンスの対象となる機能を過去に選択した回数などの履歴に基づいて当該機能に対するユーザの習熟度を判定し、操作補助を行うか否かを決定するという技術が記載されている。
【発明の概要】
【発明が解決しようとする課題】
【０００５】
しかしながら、特許文献１に記載の技術をデジタルカメラなどの撮像装置に適用してユーザの習熟度を判定するようにした場合には、以下のような問題が生じる。すなわち、カメラを購入したユーザは、そのカメラに搭載されている機能の利便性を確認すべく、実際の画像撮影は行わずに様々な機能を試してみることも多い。また、様々な機能を試す中で、誤操作により予期せぬ機能を設定してしまう場合もある。このような場合、特許文献１に記載の技術によりユーザの習熟度を判定するようにすると、カメラ購入直後のユーザは当然ながら習熟度は低い状況であるにも関わらず、機能を選択した履歴によって習熟度が向上したと判定されてしまい、ガイダンス情報が表示されなくなる虞がある。
【０００６】
本発明は、上記に鑑みてなされたものであって、ユーザの習熟度を的確に判定してガイダンス情報の表示／非表示を適切に切り替えることができる撮像装置、撮像装置の制御方法および制御プログラムを提供することを目的としている。
【課題を解決するための手段】
【０００７】
上述した課題を解決し、目的を達成するために、本発明に係る撮像装置は、ユーザが操作する操作手段と、前記操作手段の操作に応じて画像撮影の機能を設定する設定手段と、前記操作手段の操作により設定可能な前記機能の説明と前記機能を設定するための操作方法の少なくともいずれかを含むガイダンス情報を記憶するガイダンス情報記憶手段と、前記ガイダンス情報を表示可能な表示手段と、過去に撮影した画像のコマ数の累積値である累積撮影コマ数をカウントする累積撮影コマ数カウント手段と、前記累積撮影コマ数が多いほどユーザの習熟度が高いと判定する習熟度判定手段と、判定された前記習熟度に基づいて、前記表示手段に前記ガイダンス情報を表示させるか否かを切り替える表示切り替え手段と、を備えることを特徴とする。
【０００８】
また、本発明に係る撮像装置の制御方法は、ユーザが操作する操作手段と、前記操作手段の操作に応じて画像撮影の機能を設定する設定手段と、前記操作手段の操作により設定可能な前記機能の説明と前記機能を設定するための操作方法の少なくともいずれかを含むガイダンス情報を記憶するガイダンス情報記憶手段と、前記ガイダンス情報を表示可能な表示手段と、を備える撮像装置の制御方法であって、過去に撮影した画像のコマ数の累積値である累積撮影コマ数をカウントするステップと、前記累積撮影コマ数が多いほどユーザの習熟度が高いと判定するステップと、判定した前記習熟度に基づいて、前記表示手段に前記ガイダンス情報を表示させるか否かを切り替えるステップと、を含むことを特徴とする。
【０００９】
また、本発明に係る制御プログラムは、ユーザが操作する操作手段と、前記操作手段の操作に応じて画像撮影の機能を設定する設定手段と、前記操作手段の操作により設定可能な前記機能の説明と前記機能を設定するための操作方法の少なくともいずれかを含むガイダンス情報を記憶するガイダンス情報記憶手段と、前記ガイダンス情報を表示可能な表示手段と、を備える撮像装置により実行される制御プログラムであって、前記撮像装置に、過去に撮影した画像のコマ数の累積値である累積撮影コマ数をカウントする機能と、前記累積撮影コマ数が多いほどユーザの習熟度が高いと判定する機能と、判定した前記習熟度に基づいて、前記表示手段に前記ガイダンス情報を表示させるか否かを切り替える機能と、を実現させることを特徴とする。
【発明の効果】
【００１０】
本発明によれば、累積撮影コマ数が多いほどユーザの習熟度が高いと判定するようにしているので、ユーザの習熟度を的確に判定して、ガイダンス情報の表示／非表示を適切に切り替えることができるという効果を奏する。
【図面の簡単な説明】
【００１１】
【図１−１】図１−１は、デジタルカメラの上面図である。
【図１−２】図１−２は、デジタルカメラの正面図である。
【図１−３】図１−３は、デジタルカメラの裏面図である。
【図２】図２は、デジタルカメラの制御系の構成を示すブロック図である。
【図３】図３は、制御プログラムの実行によってＣＰＵにより実現されるガイダンス情報の表示機能に関わる機能構成を示す機能ブロック図である。
【図４】図４は、累積撮影コマ数と習熟度のレベルとの関係の一例を示す図である。
【図５】図５は、ガイダンス情報の表示例を示す図である。
【図６】図６は、デジタルカメラのフラッシュモードとして設定可能な各モードに関するガイダンス情報の一例を示す図である。
【図７】図７は、デジタルカメラのフラッシュモードとして設定可能な各モードのガイダンス情報を表示させるか否かと習熟度のレベルとの関係の一例を示す図である。
【図８】図８は、累積撮影コマ数カウント部による日毎の累積撮影コマ数のカウントアップおよびリセットの具体的な一例を説明する図である。
【図９】図９は、第３実施例のＣＰＵにより実現されるガイダンス情報の表示機能に関わる機能構成を示す機能ブロック図である。
【図１０】図１０は、第４実施例のＣＰＵにより実現されるガイダンス情報の表示機能に関わる機能構成を示す機能ブロック図である。
【図１１】図１１は、第５実施例のＣＰＵにより実現されるガイダンス情報の表示機能に関わる機能構成を示す機能ブロック図である。
【発明を実施するための形態】
【００１２】
以下に添付図面を参照して、この発明に係る撮像装置、撮像装置の制御方法および制御プログラムの最良な実施の形態を詳細に説明する。なお、以下では本発明をデジタルカメラに適用した例について説明するが、本発明は、ガイダンス情報の表示機能を備えた各種の撮像装置に対して広く適用することができる。
【００１３】
（デジタルカメラの構成）
まず、本実施形態に係るデジタルカメラの具体的な構成について説明する。図１は、本実施形態に係るデジタルカメラの外観を示す図であり、図１−１は同デジタルカメラの上面図、図１−２は同デジタルカメラの正面図、図１−３は同デジタルカメラの裏面図である。
【００１４】
本実施形態に係るデジタルカメラは、図１−１に示すように、その上面に、静止画撮影が可能な枚数などを表示するサブＬＣＤ１と、画像撮影の際に押圧操作されるシャッタボタンＳＷ１と、モードダイアルＳＷ２と、マイク２およびスピーカ３を有する。
【００１５】
シャッタボタンＳＷ１は、２段式のスイッチで構成されており、半押し操作と押し切り操作が可能である。デジタルカメラは、このシャッタボタンＳＷ１の半押し操作によりＡＥ（自動露出）／ＡＦ（オートフォーカス）が作動し、シャッタボタンＳＷ１の押し切り操作によりＡＷＢ（オートホワイトバランス）が作動して、静止画の撮影を実行する。
【００１６】
モードダイヤルＳＷ２は、ダイヤル式のスイッチにより構成されており、その位置によりデジタルカメラのモードを設定できる。デジタルカメラの動作モードには、画像を撮影する撮影モード、撮影された画像を再生する再生モード、カメラ設定のためのセットアップモードなどがある。デジタルカメラの撮影モードには、例えば「静止画撮影モード」と「シーンモード」があり、「シーンモード」には、さらに「被写体追尾モード」、「ポートレートモード」、「フェイスモード」、「スポーツモード」、「遠景モード」、「夜景モード」、「高感度モード」、「ズームマクロモード」、「白黒モード」、「セピアモード」、「斜め補正モード」、「文字モード」、「動作撮影モード」などがある。これらのモードの切り替えが、モードダイヤルＳＷ２の操作により行われる。
【００１７】
また、本実施形態に係るデジタルカメラは、図１−２に示すように、その正面に、フラッシュを発光させるフラッシュ発光部４と、ＡＦ補助光／セルフタイマランプ５と、図示しないリモコン端末からの赤外線信号を受信するリモコン受光部６と、鏡胴ユニット７と、光学ファインダ（正面）８を有する。また、本実施形態に係るデジタルカメラの側面には、後述するメモリカード２９を挿入するメモリカードスロットルやバッテリ２５を収容するバッテリ収容部が設けられており、これらメモリカードスロットルやバッテリ収容部は蓋体９により閉塞されている。また、本実施形態に係るデジタルカメラの側面には、テレビなどの外部表示機器にデジタルカメラを接続するための後述するＡＶ出力端子２１や、パーソナルコンピュータなどの外部情報端末にデジタルカメラを接続するための後述するＵＳＢ端子２２なども設けられている。
【００１８】
また、本実施形態に係るデジタルカメラは、図１−３に示すように、その裏面に、ＡＦ動作時に点灯するＡＦＬＥＤ１０と、フラッシュ発光時に点灯するフラッシュＬＥＤ１１と、ＬＣＤモニタ１２と、光学ファインダ（裏面）１３と、電源スイッチ１４とを有する。
【００１９】
ＬＣＤモニタ１２は、カラー画像を表示可能な画像モニタであり、再生モード時には撮影済みの画像を表示するための画像表示パネルとして利用されるとともに、セットアップモード時には各種設定操作を行うためのユーザインタフェース表示パネルとして利用される。また、撮影モード時には、必要に応じてライブビューが表示されて、画角確認用のファインダとして利用される。
【００２０】
さらに、本実施形態に係るデジタルカメラの裏面には、ズーム（ＷＩＤＥ）スイッチＳＷ３、ズーム（ＴＥＬＥ）スイッチＳＷ４、上／フラッシュスイッチＳＷ５、右スイッチＳＷ６、下／マクロスイッチＳＷ７、左／画像確認スイッチＳＷ８、セルフタイマ／削除スイッチＳＷ９、メニュースイッチＳＷ１０、ＯＫスイッチＳＷ１１、ディスプレイスイッチＳＷ１２、クイックアクセススイッチＳＷ１３の各種スイッチが設けられている。
【００２１】
ズーム（ＷＩＤＥ）スイッチＳＷ３およびズーム（ＴＥＬＥ）スイッチＳＷ４は、デジタルカメラのズーム動作を指示するためのスイッチである。デジタルカメラは、撮影モード時にズーム（ＷＩＤＥ）スイッチＳＷ３が操作されると広角側へのズームを行い、ズーム（ＴＥＬＥ）スイッチＳＷ４が操作されると望遠側へのズームを行って、レンズの焦点距離を変化させる。また、再生モード時には、ズーム（ＷＩＤＥ）スイッチＳＷ３が操作されると再生中の画像がＬＣＤモニタ１２に縮小表示され、ズーム（ＴＥＬＥ）スイッチＳＷ４が操作されると再生中の画像がＬＣＤモニタ１２に拡大表示される。
【００２２】
上／フラッシュスイッチＳＷ５は、フラッシュのモード（発光禁止、オート、赤目軽減、強制発光、スローシンクロなど）を切り替える際やＬＣＤモニタ１２上のカーソルを上移動させる場合に操作されるスイッチである。右スイッチＳＷ６は、ＬＣＤモニタ１２上のカーソルを右移動させる場合に操作されるスイッチである。下／マクロスイッチＳＷ７は、マクロ撮影を行う際やＬＣＤモニタ１２上のカーソルを下移動させる場合等に操作されるスイッチである。左／画像確認スイッチＳＷ８は、撮影した画像をＬＣＤモニタ１２で確認する際やＬＣＤモニタ１２上のカーソルを左移動させる場合等に操作されるスイッチである。
【００２３】
セルフタイマ／削除スイッチＳＷ９は、セルフタイマの作動時やＬＣＤモニタ１２に表示中の画像を削除する際に操作されるスイッチである。メニュースイッチＳＷ１０は、各モードの通常画面からメニュー画面への遷移を指示する際に操作されるスイッチである。ＯＫスイッチＳＷ１１は、選択内容の確定、処理の実行を指示する際に操作されるスイッチである。
【００２４】
ディスプレイスイッチＳＷ１２は、ＬＣＤモニタ１２のマークの表示／非表示を切り替えるなど、ＬＣＤモニタ１２の画面の表示状態の変更を指示する際に操作されるスイッチである。撮影モード時にこのディスプレイスイッチＳＷ１２が１回操作されるごとに、ＬＣＤモニタ１２の画面表示は、ヒストグラム表示→グリッドガイド表示→マーク表示なし→ＬＣＤモニタオフ→通常のマーク表示→ヒストグラム表示→・・・と切り替えられる。また、再生モード時には、ディスプレイスイッチＳＷ１２が１回操作されるごとに、ＬＣＤモニタ１２の画面表示は、ヒストグラム表示→ハイライト表示→マーク表示なし→通常のマーク表示→ヒストグラム表示→・・・と切り替えられる。また、ディスプレイスイッチＳＷ１２は、入力操作のキャンセルや１つ前の操作状態に戻すことを指示するためのスイッチとしても機能する。
【００２５】
クイックアクセススイッチＳＷ１３は、登録したメニューを瞬時に選択する際に操作されるスイッチである。
【００２６】
図２は、本実施形態に係るデジタルカメラの制御系の構成を示すブロック図である。本実施形態に係るデジタルカメラは、全体の動作がＣＰＵ（中央処理装置）４０によって統括的に制御される。
【００２７】
ＣＰＵ４０は、ＳＷ１〜ＳＷ１３（以下、これら各スイッチを区別しない場合は操作部４１と総称する。）から入力される操作信号やリモコン受光部６からの出力信号に基づき、所定の制御プログラム９０に従ってデジタルカメラの全体を統括制御する。具体的には、ＣＰＵ４０はデジタルカメラによる画像の撮影、撮影した画像の再生などの動作を統括制御し、また、フラッシュ発光部４からのフラッシュ発光制御、ＡＦ補助光／セルフタイマランプ５、ＡＦＬＥＤ１０やフラッシュＬＥＤ１１の点灯制御、サブＬＣＤ１の表示制御などを行う。このＣＰＵ４０の動作電源はバッテリ２５から供給される。また、バッテリ２５からの電力はＤＣ／ＤＣコンバータ５３を介してデジタルカメラ内部の各回路へ供給される。
【００２８】
バス１００を介してＣＰＵ４０と接続されたフラッシュＲＯＭ５８には、ＣＰＵ４０が実行する制御プログラム９０及び制御に必要な各種データ、ユーザ設定情報など（例えば、カメラ調整データ９１、カメラ設定データ９２）のデジタルカメラの動作に関する各種設定情報等が格納されている。また、このフラッシュＲＯＭ５８には、デジタルカメラの画像撮影に関わる各種機能の説明や機能を設定するための操作方法などを簡単に示したガイダンス情報が、それぞれの機能ごとに、ガイダンス情報表示データ９３ａおよびガイダンス情報音声データ９３ｂとして格納されている。
【００２９】
ＳＤＲＡＭ５４は、ＣＰＵ４０の演算作業用領域、画像データ（Ｒａｗ−ＲＧＢ画像データ５５、ＹＵＶ画像データ５６、圧縮伸張画像データ５７）等の一時記憶領域として利用される。
【００３０】
鏡胴ユニット７は、被写体の光学画像を取り込むズームレンズ７１およびフォーカスレンズ７２、これらのレンズを駆動するレンズ駆動部７６、絞り７３、絞り７３を制御する絞り駆動部７７、メカシャッタ７４、メカシャッタ７４を駆動するシャッタ駆動部７８からなる。
【００３１】
レンズ駆動部７６、絞り駆動部７７、シャッタ駆動部７８は、ＣＰＵ４０からの駆動指令により駆動制御される。
【００３２】
デジタルカメラの電源がオン状態になると、フラッシュＲＯＭ５８に格納された制御プログラム９０がＳＤＲＡＭ５４にロードされ、ＣＰＵ４０はその制御プログラム９０に従って装置各部の動作を制御する。それとともに制御に必要なデータ等を、一時的にＳＤＲＡＭ５４に保存する。
【００３３】
フラッシュＲＯＭ５８は、書き換え可能な半不揮発性メモリなので、制御プログラム９０や制御に必要な各種データ、ユーザ設定情報など（例えば、カメラ調整データ９１、カメラ設定データ９２）を変更することが可能となり、機能のバージョンアップが容易に行えるという特徴をもつ。また、機能のバージョンアップとともに新たな機能に関するガイダンス情報表示データ９３ａおよびガイダンス情報音声データ９３ｂをフラッシュＲＯＭ５８に格納することで、新たな機能に対応したガイダンス情報の提示も可能になる。
【００３４】
デジタルカメラは、モードダイヤルＳＷ２の操作により撮影モードが選択されることによって、動作モードが撮影モードに設定され、画像の撮影が可能になる。そして、撮影モードに設定されることにより、鏡胴ユニット７が繰り出されて、撮影スタンバイ状態になる。
【００３５】
この撮影モードの下、鏡胴ユニット７のレンズ（ズームレンズ７１、フォーカスレンズ７２）を通過した被写体光は、絞り７３を介して固体撮像素子であるＣＣＤ８０の受光面に結像される。なお、ＣＣＤ８０の代わりにＣＭＯＳイメージセンサなど、他の撮像素子を用いるようにしてもよい。
【００３６】
ＣＣＤ８０の受光面には、所定の配列構造（ベイヤー、Ｇストライプなど）で配列された赤（Ｒ）、緑（Ｇ）、青（Ｂ）のカラーフィルタを介して多数のフォトダイオード（受光素子）が二次元的に配置されている。レンズを通過した被写体光は、各フォトダイオードによって受光され、入射光量に応じた量の信号電荷に変換される。各フォトダイオードに蓄積された信号電荷は、タイミングジェネレータ（ＴＧ）８１から与えられる駆動パルスに基づいて信号電荷に応じた電圧信号（画像信号）として順次読み出され、アナログ処理部（ＣＤＳ／ＡＭＰ）４２に加えられる。
【００３７】
アナログ処理部（ＣＤＳ／ＡＭＰ）４２は、入力された画素ごとのＲＧＢ信号をサンプリングホールド（相関二重サンプリング処理）するとともに、増幅し、Ａ／Ｄ変換器４３に出力する。
【００３８】
Ａ／Ｄ変換器４３は、アナログ処理部（ＣＤＳ／ＡＭＰ）４２から出力されたアナログＲＧＢ信号をデジタルＲＧＢ信号に変換して出力し、このＡ／Ｄ変換器４３から出力されたデジタルのＲＧＢ信号が、センサ入力制御部４４を介し、Ｒａｗ−ＲＧＢ画像データ５５としてＳＤＲＡＭ５４に取り込まれる。
【００３９】
画像信号処理部４６は、ＳＤＲＡＭ５４に取り込まれたＲａｗ−ＲＧＢ画像データ５５をＣＰＵ４０の指令に従って処理し、輝度信号（Ｙ信号）及び色差信号（Ｃｒ、Ｃｂ信号）へ変換し、ＹＵＶ画像データ５６を生成する。すなわち、この画像信号処理部４６は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ４０からの指令に従ってＳＤＲＡＭ５４をワークエリアとして利用しながら、入力されたＲＧＢ信号を信号処理することにより、輝度信号及び色差信号（輝度／色差信号）を生成する。生成された輝度／色差信号は、ＹＵＶ画像データ５６としてＳＤＲＡＭ５４に格納される。
【００４０】
撮影画像をＬＣＤモニタ１２に出力する場合は、ＹＵＶ画像データ５６が、ＳＤＲＡＭ５４からＯＳＤＭＩＸ部４８に送られる。
【００４１】
ＯＳＤＭＩＸ部４８は、入力されたＹＵＶ画像データ５６の輝度／色差信号に文字や図形などのオンスクリーンディスプレイデータを重ね合わせて合成し、ビデオエンコーダ６５およびＬＣＤモニタ信号処理部４９に出力する。これにより、所要の撮影情報等が画像データに重ねて表示される。また、ＯＳＤＭＩＸ部４８は、ＣＰＵ４０によりガイダンス情報の表示が必要と判断され、表示対象となるガイダンス情報表示データ９３ａがフラッシュＲＯＭ５８から読み出されて入力されると、ＹＵＶ画像データ５６の輝度／色差信号にガイダンス情報表示データ９３ａを合成し、ＬＣＤモニタ信号処理部４９に出力する。これにより、ガイダンス情報が画像データに重ねてＬＣＤモニタ１２に表示される。
【００４２】
ビデオエンコーダ６５は、入力されたＹＵＶ画像データ５６の輝度／色差信号を表示用のデジタル表示出力信号（たとえばＮＴＳＣ方式のカラー複合映像信号）に変換し、Ｄ／Ａ変換器６６にてデジタル表示出力信号をアナログビデオ出力信号に変換する。
【００４３】
ビデオＡＭＰ６７は、Ｄ／Ａ変換器６６から出力されたアナログビデオ出力信号を、７５Ωインピーダンス変換し、テレビなどの外部表示機器と接続するためのＡＶ出力端子２１へ出力する。これにより、ＣＣＤ８０で撮像された画像がテレビなどの外部表示機器に表示される。
【００４４】
一方、ＬＣＤモニタ信号処理部４９は、入力されたＹＵＶ画像データ５６の輝度／色差信号をＬＣＤモニタ１２の入力信号形式であるＲＧＢ信号へ変換し、ＬＣＤモニタ１２へ出力する。これにより、ＣＣＤ８０で撮像された画像がＬＣＤモニタ１２に表示される。
【００４５】
ＣＣＤ８０から画像信号を定期的に取り込み、その画像信号から生成される輝度／色差信号によってＳＤＲＡＭ５４内のＹＵＶ画像データ５６を定期的に書き換え、ＬＣＤモニタ１２およびＡＶ出力端子２１に出力することにより、ＣＣＤ８０で撮像される画像がリアルタイムに表示される。ユーザは、このＬＣＤモニタ１２にリアルタイムに表示される画像（ライブビュー）を見ることにより、撮影画角を確認することができる。
【００４６】
画像の撮影はシャッタボタンＳＷ１の押下によって行なわれる。撮影に先立ち、ユーザは、画角を調整する必要があるとき、ズーム（ＷＩＤＥ）スイッチＳＷ３およびズーム（ＴＥＬＥ）スイッチＳＷ４を操作し、ズームレンズ７１をズーミングさせて画角を調整する。
【００４７】
シャッタボタンＳＷ１が半押しされると、Ｒ１オン信号がＣＰＵ４０に入力され、ＣＰＵ４０はＡＥ／ＡＦ処理を実施する。
【００４８】
まず、センサ入力制御部４４を介してＣＣＤ８０から取り込まれた画像信号がＡＦ検出部５１並びにＡＥ／ＡＷＢ検出部５２に入力される。ＡＥ／ＡＷＢ検出部５２は、１画面を複数のエリア（例えば、１６×１６）に分割し、分割エリアごとにＲ、Ｇ、Ｂ信号を積算する回路を含み、その積算値をＣＰＵ４０に提供する。ＣＰＵ４０は、ＡＥ／ＡＷＢ検出部５２から得た積算値に基づいて被写体の明るさ（被写体輝度）を検出し、撮影に適した露出値（撮影ＥＶ値）を算出する。そして、求めた撮影ＥＶ値と所定のプログラム線図から絞り値とシャッタースピードを決定し、これに従いＣＣＤ８０の電子シャッタと絞り駆動部７７を制御して適正な露光量を得る。
【００４９】
また、ＡＥ／ＡＷＢ検出部５２は、自動ホワイトバランス調整時、分割エリアごとにＲ、Ｇ、Ｂ信号の色別の平均積算値を算出し、その算出結果をＣＰＵ４０に提供する。ＣＰＵ４０は、得られたＲの積算値、Ｂの積算値、Ｇの積算値から各分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば、各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を制御し、各色チャンネルの信号に補正をかける。
【００５０】
ＡＦ検出部５１は、Ｇ信号の高周波成分のみを通過させるハイパスフィルタ、絶対値化処理部、所定のフォーカスエリア（たとえば、画面中央部）内の信号を切り出すＡＦエリア抽出部及びＡＦエリア内の絶対値データを積算する積算部から構成され、ＡＦ検出部５１で求めた積算値のデータはＣＰＵ４０に通知される。ＣＰＵ４０は、レンズ駆動部７６を制御してフォーカスレンズ７２を移動させながら、複数のＡＦ検出ポイントで焦点評価値（ＡＦ評価値）を演算し、評価値が極大となるレンズ位置を合焦位置として決定する。そして、求めた合焦位置にフォーカスレンズ７２が移動するように、レンズ駆動部７６を制御する。
【００５１】
以上のように、シャッタボタンＳＷ１の半押しによって、ＡＥ／ＡＦ処理が行なわれる。その後、ユーザがシャッタボタンＳＷ１を押し切ると、ＣＰＵ４０にＲ２オン信号が入力され、ＣＰＵ４０は、画像の撮影、記録処理を開始する。すなわち、ＣＰＵ４０は測光結果に基づき決定された絞り値に従い、絞り駆動部７７を制御して絞り７３を動かし、シャッタ速度値に従い、シャッタ駆動部７８を制御してメカシャッタ７４の開閉動作を制御してＣＣＤ８０の露光時間を制御することにより、ＣＣＤ８０を露光する。
【００５２】
ＣＣＤ８０から出力された画像信号は、アナログ処理部（ＣＤＳ／ＡＭＰ）４２、Ａ／Ｄ変換器４３、センサ入力制御部４４を介してＳＤＲＡＭ５４に取り込まれ、画像信号処理部４６において輝度／色差信号に変換されたのち、ＹＵＶ画像データ５６としてＳＤＲＡＭ５４に格納される。
【００５３】
ＳＤＲＡＭ５４に格納されたＹＵＶ画像データ５６は、圧縮伸張処理部４７に加えられ、所定の圧縮フォーマット（たとえばＪＰＥＧ形式）に従って圧縮された後、ＳＤＲＡＭ５４に圧縮伸張画像データ５７として格納され、所定の画像記録フォーマット（たとえばＥｘｉｆ形式）の画像ファイルとされたのち、カード制御部５０を介してメモリカード２９（たとえばＳＤカード）に記録される。
【００５４】
以上のようにしてメモリカード２９に記録された画像は、モードダイヤルＳＷ２の操作により再生モードが選択され、動作モードが再生モードに設定されることにより、ＬＣＤモニタ１２で再生表示させることができる。デジタルカメラの動作モードが再生モードに設定されると、ＣＰＵ４０は、カード制御部５０にコマンドを出力し、メモリカード２９に最後に記録された画像ファイルを読み出させる。読み出された画像ファイルの圧縮画像データは、圧縮伸張処理部４７に加えられ、非圧縮の輝度／色差信号に伸張されたのち、ＯＳＤＭＩＸ部４８およびＬＣＤモニタ信号処理部４９を介してＬＣＤモニタ１２に出力される。これにより、メモリカード２９に記録されている画像がＬＣＤモニタ１２に再生表示される。
【００５５】
また、パーソナルコンピュータなどの外部情報端末とＵＳＢ通信を行う場合は、デジタルカメラがＵＳＢ端子２２を介して外部情報端末と接続される。ＣＰＵ４０は、ＵＳＢ制御部５９を制御することにより、外部情報端末との間でＵＳＢ通信を行う。
【００５６】
シャッタ音、操作音などの音声信号データはフラッシュＲＯＭ５８に格納されており、ＣＰＵ４０が音声信号処理部４５を制御し、この音声信号データを、音声信号処理部４５を介してオーディオＣＯＤＥＣ６１へ出力する。また、ＣＰＵ４０は、ガイダンス情報の音声出力が必要と判断すると、音声出力の対象となるガイダンス情報音声データ９３ｂをフラッシュＲＯＭ５８から読み出し、このガイダンス情報音声データ９３ｂを、音声信号処理部４５を介してオーディオＣＯＤＥＣ６１へ出力する。
【００５７】
オーディオＣＯＤＥＣ６１は、入力された音声信号を増幅するマイクアンプや、スピーカ３を駆動するためのオーディオアンプを内蔵する。このオーディオＣＯＤＥＣ６１には、ユーザが音声信号を入力するマイク２、音声信号を出力するスピーカ３が接続されている。オーディオＣＯＤＥＣ６１は、音声信号処理部４５から入力される音声信号データやガイダンス情報音声データ９３ｂに応じてオーディオアンプでスピーカ３を駆動する。これによりシャッタ音や操作音、ガイダンス情報などが、スピーカ３から出力される。
【００５８】
（ガイダンス情報の表示機能）
次に、本実施形態に係るデジタルカメラが備えるガイダンス情報の表示機能について説明する。ガイダンス情報は、ユーザが操作部４１を操作することによって設定可能なデジタルカメラの画像撮影に関わる機能のうち、特に利用頻度の高い機能について、それぞれの機能の説明や機能を設定するための操作方法をユーザに提示して、ユーザのカメラ操作を補助する情報である。ガイダンス情報を表示する対象となる機能としては、例えば、モードダイヤルＳＷ２の操作によって切り替えられる各動作モード、上／フラッシュスイッチＳＷ５の操作によって切り替えられる各フラッシュモード、下／マクロスイッチＳＷ７の操作によって切り替えられるマクロ機能、セルフタイマ／削除スイッチＳＷ９の操作によって切り替えられるセルフタイマモードなどが挙げられる。これらの各機能についてのガイダンス情報は、必要に応じてＬＣＤモニタ１２などに表示される。
【００５９】
このようなガイダンス情報は、デジタルカメラの操作に不慣れなユーザにとっては機能の概要や操作方法を知る上で有用な情報となるが、カメラの操作を熟知したユーザにとっては、ガイダンス情報がＬＣＤモニタ１２に表示されることで煩わしさを感じる場合もある。そこで、本実施形態に係るデジタルカメラでは、デジタルカメラの操作に対するユーザの習熟度を判定してユーザの習熟度が低い場合にガイダンス情報を表示し、ユーザの習熟度が高い場合にはガイダンス情報を表示しないようにしている。そして、特にデジタルカメラの操作に対するユーザの習熟度を、累積撮影コマ数の情報を用いて判定するようにしている。
【００６０】
本実施形態に係るデジタルカメラのガイダンス情報の表示機能は、例えば、ＣＰＵ４０がフラッシュＲＯＭ５８に格納された制御プログラム９０（ガイダンス情報の表示機能に関わるプログラムコンポーネント）を実行することによって実現される。図３は、制御プログラム９０の実行によってＣＰＵ４０により実現されるガイダンス情報の表示機能に関わる機能構成を示す機能ブロック図である。ＣＰＵ４０は、ガイダンス情報の表示機能に関わる機能構成として、図３に示すように、機能設定部１０１、累積撮影コマ数カウント部１０２、習熟度判定部１０３、表示切り替え部１０４を有する。
【００６１】
機能設定部１０１は、操作部４１を用いたユーザの操作に応じて、画像撮影に関わる各種機能の設定を行う。例えば、モードダイヤルＳＷ２の操作によって撮影モードの「シーンモード」が選択され、さらに「被写体追尾モード」が選択されると、機能設定部１０１は被写体追尾モードでデジタルカメラを動作させるように、被写体追尾モードの設定を行う。
【００６２】
累積撮影コマ数カウント部１０２は、ユーザが撮影した総コマ数（累積撮影コマ数）をカウントする。累積撮影コマ数カウント部１０２によりカウントされた累積撮影コマ数は、例えばフラッシュＲＯＭ５８にカメラ設定データとして格納される。累積撮影コマ数のカウント条件は、静止画の撮影であれば１コマで＋１カウント、動画の撮影であれば１回の動画記録で＋１カウントとする。また、１つのファイルで複数の撮影コマ数を格納できる画像格納形式（例えばＣＩＰＡマルチピクチャフォーマットなど）の場合は、ファイルは１つだが、ファイル内に格納されている全ての画像のコマ数を累積撮影コマ数としてカウントする。
【００６３】
習熟度判定部１０３は、累積撮影コマ数カウント部１０２によりカウントされた累積撮影コマ数に基づいて、デジタルカメラの操作に対するユーザの習熟度を判定する。習熟度判定部１０３により判定された習熟度は、例えばフラッシュＲＯＭ５８にカメラ設定データとして格納される。この習熟度は、例えば図４に示すような３段階のレベルで判定される。習熟度が低いレベルがレベル１、中間のレベルがレベル２、習熟度が高いレベルがレベル３である。デジタルカメラの出荷時には習熟度はレベル１とされており、ユーザが実際にデジタルカメラで画像の撮影を行って累積撮影コマ数が増加すると、習熟度判定部１０３により判定される習熟度のレベルが向上したと判定され、フラッシュＲＯＭ５８のデータが書き換えられる。具体的には、例えば図４に例示されるように、累積撮影コマ数が１００コマ以下の間は習熟度のレベルはレベル１のままであり、累積撮影コマ数が１０１コマに達すると、習熟度のレベルがレベル１からレベル２に上がる。その後、累積撮影コマ数が５００コマ以下の間は習熟度のレベルはレベル２のままであり、累積撮影コマ数が５０１コマに達すると、習熟度のレベルがレベル２からレベル３に上がる。勿論、図４に示した例は一例であり、習熟度をより多段階のレベルで分類するようにしてもよいし、習熟度の各レベルに対応する累積撮影コマ数も任意に設定可能である。
【００６４】
表示切り替え部１０４は、習熟度判定部１０３によって累積撮影コマ数に応じて判定された習熟度、つまりフラッシュＲＯＭ５８にカメラ設定データとして格納されている習熟度のレベルに基づいて、操作部４１の操作に応じて機能設定部１０１が設定する機能についてのガイダンス情報の表示を行うか否かの切り替えを行う。ここで、習熟度は３段階以上の複数のレベル（図４の例ではレベル１〜レベル３）で判定されている。表示切り替え部１０４は、ガイダンス情報が用意されている複数の機能のそれぞれについて、ガイダンス情報の表示を行うか否かを、習熟度のレベルに応じて個別に切り替える。
【００６５】
具体的には、図４に示した例でいうと、習熟度のレベルがレベル１であれば、ガイダンス情報が用意されている複数の機能のうちのいずれの機能が機能設定部１０１により設定される場合であっても、当該機能についてのガイダンス情報を表示させる。また、習熟度のレベルがレベル３であれば、ガイダンス情報が用意されている複数の機能のうちのいずれの機能が機能設定部１０１により設定される場合であっても、当該機能についてのガイダンス情報を表示させない。習熟度のレベルがレベル２の場合には、ガイダンス情報が用意されている複数の機能のうち、予め定めた一部の機能が機能設定部１０１により設定される場合のみ、当該機能についてのガイダンス情報を表示させ、それ以外の機能が機能設定部１０１により設定される場合には、当該機能についてのガイダンス情報を表示させない。なお、習熟度をより多段階のレベルで分類した場合は、レベルが上がるに従って（つまり、累積撮影コマ数が増加するに従って）ガイダンス情報を表示させる機能が減少するように、習熟度のレベルとガイダンス情報の表示有無との関係を各機能ごとに個別に定めておくことが望ましい。
【００６６】
表示切り替え部１０４は、機能設定部１０１が設定する機能についてのガイダンス情報の表示が必要と判断した場合、表示対象となるガイダンス情報表示データ９３ａをフラッシュＲＯＭ５８から読み出してＯＳＤＭＩＸ部４８に供給する。ＯＳＤＭＩＸ部４８は、表示対象となるガイダンス情報表示データ９３ａが供給されると、上述したように、ガイダンス情報表示データ９３ａを合成した画像データを生成してＬＣＤモニタ信号処理部４９に出力する。そして、ＬＣＤモニタ信号処理部４９がＯＳＤＭＩＸ部４８により生成された画像データ（輝度／色差信号）をＲＧＢ信号へ変換してＬＣＤモニタ１２に出力することで、ＬＣＤモニタ１２には、例えば図５に示すように、ガイダンス情報Ｇ１，Ｇ２が重ね合わされた画像が表示される。なお、図５では、モードダイヤルＳＷ２の操作によって「被写体追尾モード」が選択された場合にＬＣＤモニタ１２に表示されるガイダンス情報Ｇ１，Ｇ２を例示している。
【００６７】
また、表示切り替え部１０４は、機能設定部１０１が設定する機能についてのガイダンス情報の表示が必要と判断し、表示対象となるガイダンス情報表示データ９３ａをＯＳＤＭＩＸ部４８に供給したときに、表示対象となるガイダンス情報表示データ９３ａに対応するガイダンス情報音声データ９３ｂを、ガイダンス情報表示データ９３ａとともにフラッシュＲＯＭ５８から読み出す。そして、読み出したガイダンス情報音声データ９３ｂを、音声信号処理部４５を介してオーディオＣＯＤＥＣ６１へ供給する。オーディオＣＯＤＥＣ６１は、このガイダンス情報音声データ９３ｂに応じてオーディオアンプでスピーカ３を駆動することにより、ＬＣＤモニタ１２に表示されるガイダンス情報に対応した音声が、スピーカ３から出力される。
【００６８】
なお、表示切り替え部１０４は、機能設定部１０１が設定する機能についてのガイダンス情報の表示が不要と判断した場合には、フラッシュＲＯＭ５８に格納されている習熟度のレベルを読み出してＯＳＤＭＩＸ部４８に供給し、ガイダンス情報の代わりにこの習熟度のレベルを画像に重ね合わせてＬＣＤモニタ１２に表示させるようにしてもよい。この場合、ユーザはＬＣＤモニタ１２を確認することで、習熟度判定部１０３により判定されている現在の習熟度を確認することができ、ガイダンス情報が表示されない理由を明確に知ることができる。
【００６９】
（第１実施例）
次に、フラッシュモードの切り替えを行う場合を例に挙げて、ＣＰＵ４０によるガイダンス情報の表示制御の一例についてさらに具体的に説明する。
【００７０】
図６は、デジタルカメラのフラッシュモードとして設定可能な各モードに関するガイダンス情報の一例を示している。本実施形態に係るデジタルカメラは、上述したように、フラッシュモードとして「発光禁止」、「オート」、「赤目軽減」、「強制発光」、「スローシンクロ」の各モードを備えており、これらのモードが上／フラッシュスイッチＳＷ５の操作により切り替えられるようになっている。
【００７１】
ＣＰＵ４０の機能設定部１０１は、ユーザにより上／フラッシュスイッチＳＷ５が操作されると、その操作によって選択されたモードをデジタルカメラのフラッシュモードとして設定する。このとき、表示切り替え部１０４は、その時点でフラッシュＲＯＭ５８に格納されている習熟度のレベル、すなわち累積撮影コマ数カウント部１０２によりカウントされた累積撮影コマ数に応じて習熟度判定部１０３により判定された習熟度のレベルに基づき、機能設定部１０１が設定するフラッシュモードについてのガイダンス情報をＬＣＤモニタ１２に表示させるか否かを決定する。
【００７２】
図７は、デジタルカメラのフラッシュモードとして設定可能な各モードについて、ガイダンス情報を表示させるか否かと習熟度のレベルとの関係の一例を示した図である。ここでは、習熟度のレベルが図４に示したようにレベル１〜レベル３の３段階で分類されているものとしている。なお、図７中の○はガイダンス情報を表示させることを示し、図７中の×はガイダンス情報を表示させないことを示している。
【００７３】
図７に示すように、上／フラッシュスイッチＳＷ５の操作に応じて機能設定部１０１が設定するフラッシュモードが「発光禁止」または「オート」の場合、表示切り替え部１０４は、その時点でフラッシュＲＯＭ５８に格納されている習熟度のレベル、すなわち累積撮影コマ数カウント部１０２によりカウントされた累積撮影コマ数に応じて習熟度判定部１０３により判定された習熟度のレベルがレベル１の場合のみガイダンス情報をＬＣＤモニタ１２に表示させ、習熟度のレベルがレベル２もしくはレベル３であれば、ガイダンス情報をＬＣＤモニタ１２に表示させない。また、上／フラッシュスイッチＳＷ５の操作に応じて機能設定部１０１が設定するフラッシュモードが「赤目軽減」、「強制発光」、「スローシンクロ」のいずれかの場合、表示切り替え部１０４は、その時点でフラッシュＲＯＭ５８に格納されている習熟度のレベルがレベル１もしくはレベル２の場合にガイダンス情報をＬＣＤモニタ１２に表示させ、習熟度のレベルがレベル３であれば、ガイダンス情報をＬＣＤモニタ１２に表示させない。
【００７４】
以上のように、機能設定部１０１が設定する機能ごと（上記の例ではフラッシュモードの各モードごと）に、ガイダンス情報の表示を行うか否かを、習熟度のレベルに応じて個別に切り替える。これにより、上記の例では「発光禁止」や「オート」などの比較的に頻繁に使用されるモードについては習熟度のレベルがレベル２になればそれ以降ガイダンス情報は表示させず、「赤目軽減」、「強制発光」、「スローシンクロ」などのあまり使用されないモードについては、習熟度のレベルがレベル３になるまでガイダンス情報を表示させるといったように、機能設定部１０１が設定する機能の性質に合わせてガイダンス情報を表示させるか否かの切り替えを、より効果的に行うことができる。
【００７５】
（第２実施例）
上記の第１実施例では、累積撮影コマ数カウント部１０２が、デジタルカメラ購入後にユーザが撮影した総コマ数を累積撮影コマ数としてカウントし、カウントした累積撮影コマ数をフラッシュＲＯＭ５８に格納することを前提としていたが、累積撮影コマ数カウント部１０２は、カウントした累積撮影コマ数を日毎にリセットし、日毎の累積撮影コマ数をフラッシュＲＯＭ５８に格納するようにしてもよい。
【００７６】
図８は、累積撮影コマ数カウント部１０２による日毎の累積撮影コマ数のカウントアップおよびリセットの具体的な一例を説明する図である。図８の例では、３〜５コマ目の撮影や６〜８コマ目が、３枚１組の撮影（連写撮影やブラケット撮影などの連続撮影）となっている。このような複数枚が１組となる撮影については、その組の最終コマの撮影が終了した時点でその組の全コマ数分をまとめてカウントアップする。ここで、図８の例では、６コマ目は撮影の日付（Exif IFDのDate Time Original）が２００８／１２／３１となっているが、８コマ目の撮影が終了した日付が２００９／１／１となっているので、累積撮影コマ数カウント部１０２は、それまでカウントした累積撮影コマ数（図８の例では５枚）をリセット（ゼロクリア）した後、３枚分をカウントアップする。
【００７７】
また、累積撮影コマ数カウント部１０２は、コマ削除機能によるファイル削除や、トリミング機能、画像サイズ変更（リサイズ）機能などの新規ファイル生成は、カウントアップしないようにし、撮影した画像ファイルのみをカウントするようにする。
【００７８】
１日の間にデジタルカメラの電源が複数回オンされた場合、累積撮影コマ数カウント部１０２は、電源オン時の日付が前回の電源オフ時の日付から変化がなければ、同日付期間の累積撮影コマ数をカウントしてフラッシュＲＯＭ５８に格納する。累積撮影コマ数カウント部１０２がカウントした累積撮影コマ数をリセット（ゼロクリア）する条件は、Ａ）デジタルカメラの電源オンからオフまでの間に日付が変わったとき、Ｂ）日付が再設定されたとき、である。
【００７９】
本例では、以上のようにして累積撮影コマ数カウント部１０２が撮影の都度その日の累積撮影コマ数をカウントアップして、日毎の累積撮影コマ数をフラッシュＲＯＭ５８に格納する。ここで、上記の例と同様に、ユーザにより上／フラッシュスイッチＳＷ５が操作されると、機能設定部１０１がその操作によって選択されたモードをデジタルカメラのフラッシュモードとして設定する。このとき、表示切り替え部１０４は、その時点でフラッシュＲＯＭ５８に格納されている習熟度のレベル、すなわち累積撮影コマ数カウント部１０２によりカウントされたその日の累積撮影コマ数に応じて習熟度判定部１０３により判定された習熟度のレベルに基づき、機能設定部１０１が設定するフラッシュモードについてのガイダンス情報をＬＣＤモニタ１２に表示させるか否かを決定する。
【００８０】
例えば、機能設定部１０１が設定するフラッシュモードが「発光禁止」または「オート」の場合、表示切り替え部１０４は、その時点でフラッシュＲＯＭ５８に格納されている習熟度のレベル、すなわち累積撮影コマ数カウント部１０２によりカウントされたその日の累積撮影コマ数に応じて習熟度判定部１０３により判定された習熟度のレベルがレベル１の場合のみガイダンス情報をＬＣＤモニタ１２に表示させ、習熟度のレベルがレベル２もしくはレベル３であれば、ガイダンス情報をＬＣＤモニタ１２に表示させない。また、上／フラッシュスイッチＳＷ５の操作に応じて機能設定部１０１が設定するフラッシュモードが「赤目軽減」、「強制発光」、「スローシンクロ」のいずれかの場合、表示切り替え部１０４は、その時点でフラッシュＲＯＭ５８に格納されている習熟度のレベルがレベル１もしくはレベル２の場合にガイダンス情報をＬＣＤモニタ１２に表示させ、習熟度のレベルがレベル３であれば、ガイダンス情報をＬＣＤモニタ１２に表示させない。
【００８１】
その後、デジタルカメラの電源がオフされてから次に電源がオンされるまでの間に日付が変わると、累積撮影コマ数カウント部１０２は、それまでにカウントした累積撮影コマ数をリセットする。これに伴い、習熟度判定部１０３により判定される習熟度のレベルも一時的に下のレベルに下がることになる。そして、累積撮影コマ数カウント部１０２が撮影の都度その日の累積撮影コマ数をカウントアップしていくことで、習熟度判定部１０３により判定される習熟度のレベルも上がっていく。
【００８２】
以上のように、本例では、累積撮影コマ数カウント部１０２が日毎の累積撮影コマ数をカウントし、習熟度判定部１０３が日毎の累積撮影コマ数に応じて習熟度を判定するようにしているので、デジタルカメラを最後に利用した日から長時間が経過することで機能の使い方などを忘れてしまうといったユーザの習性を習熟度の判定に反映させて、習熟度をより的確に判定し、ガイダンス情報の表示／非表示をより適切に切り替えることが可能となる。
【００８３】
（第３実施例）
上記の第１実施例および第２実施例では、ガイダンス情報が用意されている機能の全てに対して、表示切り替え部１０４が、習熟度判定部１０３により判定された共通の習熟度に基づいてガイダンス情報の表示／非表示を切り替えるようにしているが、習熟度判定部１０３が機能ごとの習熟度を判定し、表示切り替え部１０４が機能ごとの習熟度に基づいてガイダンス情報の表示／非表示を切り替えるようにしてもよい。この場合、特許文献１に記載されているような機能の使用履歴の情報も加味すれば、機能ごとの習熟度をより的確に判定することが可能となる。
【００８４】
図９は、本例のＣＰＵ４０により実現されるガイダンス情報の表示機能に関わる機能構成を示す機能ブロック図である。本例の場合、ＣＰＵ４０は、図３に示した構成に加えて、経過時間カウント部１０５を有している。
【００８５】
経過時間カウント部１０５は、ガイダンス情報が用意されている機能の全てについて、各機能が機能設定部１０１によって前回設定されたときからの経過時間をカウントする。経過時間カウント部１０５によりカウントされた各機能ごとの経過時間の情報は、例えばフラッシュＲＯＭ５８にカメラ設定データとして格納される。
【００８６】
本例の場合、習熟度判定部１０３は、累積撮影コマ数カウント部１０２によりカウントされた累積撮影コマ数と、経過時間カウント部１０５によりカウントされた各機能の前回設定時からの経過時間とに基づいて、ガイダンス情報が用意されている全ての機能について、各機能ごとの習熟度を判定する。具体的には、習熟度判定部１０３は、累積撮影コマ数カウント部１０２によりカウントされた累積撮影コマ数が多く、且つ、経過時間カウント部１０５によりカウントされた経過時間が短いほど、習熟度が高くなるように、各機能ごとの習熟度を判定する。
【００８７】
表示切り替え部１０４は、操作部４１の操作に応じて機能設定部１０１が設定する機能について、習熟度判定部１０３によって判定された当該機能に対する習熟度に基づいて、ガイダンス情報の表示を行うか否かの切り替えを行う。
【００８８】
以上のように、本例では、習熟度判定部１０３が、累積撮影コマ数と各機能の前回設定時からの経過時間とに基づいて、ガイダンス情報が用意されている各機能ごとの習熟度を判定し、表示切り替え部１０４が、操作部４１の操作に応じて機能設定部１０１が設定する機能についてのガイダンス情報を表示するか否かを、習熟度判定部１０３により判定された当該機能に対する習熟度に基づいて切り替えるようにしている。したがって、機能ごとのガイダンス情報の表示／非表示の切り替えをより適切に行うことができる。
【００８９】
（第４実施例）
上記の第３実施例では、各機能の使用履歴の情報として各機能の前回設定時からの経過時間の情報を利用して機能ごとの習熟度を判定するようにしていたが、機能ごとの習熟度判定に利用する各機能の使用履歴の情報としては、各機能の累積設定回数の情報も有効である。
【００９０】
図１０は、本例のＣＰＵ４０により実現されるガイダンス情報の表示機能に関わる機能構成を示す機能ブロック図である。本例の場合、ＣＰＵ４０は、図３に示した構成に加えて、累積設定回数カウント部１０６を有している。
【００９１】
累積設定回数カウント部１０６は、ガイダンス情報が用意されている機能の全てについて、各機能が機能設定部１０１によって設定された総回数（累積設定回数）をカウントする。累積設定回数カウント部１０６によりカウントされた各機能ごとの累積設定回数の情報は、例えばフラッシュＲＯＭ５８にカメラ設定データとして格納される。
【００９２】
本例の場合、習熟度判定部１０３は、累積撮影コマ数カウント部１０２によりカウントされた累積撮影コマ数と、累積設定回数カウント部１０６によりカウントされた各機能の累積設定回数とに基づいて、ガイダンス情報が用意されている全ての機能について、各機能ごとの習熟度を判定する。具体的には、習熟度判定部１０３は、累積撮影コマ数カウント部１０２によりカウントされた累積撮影コマ数が多く、且つ、累積設定回数カウント部１０６によりカウントされた累積設定回数が多いほど、習熟度が高くなるように、各機能ごとの習熟度を判定する。
【００９３】
表示切り替え部１０４は、操作部４１の操作に応じて機能設定部１０１が設定する機能について、習熟度判定部１０３によって判定された当該機能に対する習熟度に基づいて、ガイダンス情報の表示を行うか否かの切り替えを行う。
【００９４】
以上のように、本例では、習熟度判定部１０３が、累積撮影コマ数と各機能の累積設定回数とに基づいて、ガイダンス情報が用意されている各機能ごとの習熟度を判定し、表示切り替え部１０４が、操作部４１の操作に応じて機能設定部１０１が設定する機能についてのガイダンス情報を表示するか否かを、習熟度判定部１０３により判定された当該機能に対する習熟度に基づいて切り替えるようにしている。したがって、機能ごとのガイダンス情報の表示／非表示の切り替えをより適切に行うことができる。
【００９５】
（第５実施例）
本例は、上記の第３実施例で説明した各機能の前回設定時からの経過時間の情報と、上記の第４実施例で説明した各機能の累積設定回数の情報の双方を利用して、機能ごとの習熟度を判定するようにした例である。
【００９６】
図１１は、本例のＣＰＵ４０により実現されるガイダンス情報の表示機能に関わる機能構成を示す機能ブロック図である。本例の場合、ＣＰＵ４０は、図３に示した構成に加えて、経過時間カウント部１０５と、累積設定回数カウント部１０６を有している。
【００９７】
本例の場合、習熟度判定部１０３は、累積撮影コマ数カウント部１０２によりカウントされた累積撮影コマ数と、経過時間カウント部１０５によりカウントされた各機能の前回設定時からの経過時間と、累積設定回数カウント部１０６によりカウントされた各機能の累積設定回数とに基づいて、ガイダンス情報が用意されている全ての機能について、各機能ごとの習熟度を判定する。具体的には、習熟度判定部１０３は、累積撮影コマ数カウント部１０２によりカウントされた累積撮影コマ数が多く、且つ、経過時間カウント部１０５によりカウントされた経過時間が短く、且つ、累積設定回数カウント部１０６によりカウントされた累積設定回数が多いほど、習熟度が高くなるように、各機能ごとの習熟度を判定する。
【００９８】
表示切り替え部１０４は、操作部４１の操作に応じて機能設定部１０１が設定する機能について、習熟度判定部１０３によって判定された当該機能に対する習熟度に基づいて、ガイダンス情報の表示を行うか否かの切り替えを行う。
【００９９】
以上のように、本例では、習熟度判定部１０３が、累積撮影コマ数と各機能の前回設定時からの経過時間と各機能の累積設定回数とに基づいて、ガイダンス情報が用意されている各機能ごとの習熟度を判定し、表示切り替え部１０４が、操作部４１の操作に応じて機能設定部１０１が設定する機能についてのガイダンス情報を表示するか否かを、習熟度判定部１０３により判定された当該機能に対する習熟度に基づいて切り替えるようにしている。したがって、機能ごとのガイダンス情報の表示／非表示の切り替えをより適切に行うことができる。
【０１００】
以上、具体的な例を挙げながら詳細に説明したように、本実施形態に係るデジタルカメラによれば、累積撮影コマ数カウント部１０２が累積撮影コマ数をカウントし、習熟度判定部１０３が、累積撮影コマ数カウント部１０２によりカウントされた累積撮影コマ数が多いほどユーザの習熟度が高いと判定し、表示切り替え部１０４が、習熟度判定部１０３により判定された習熟度に基づいて、操作部４１の操作に応じて機能設定部１０１が設定する機能についてのガイダンス情報を表示させるか否かを切り替えるようにしている。したがって、デジタルカメラの操作に対するユーザの習熟度を的確に判定して、ガイダンス情報の表示／非表示を適切に切り替えることができる。
【０１０１】
また、習熟度判定部１０３は、累積撮影コマ数カウント部１０２によりカウントされた累積撮影コマ数に応じた３段階以上の複数のレベルでユーザの習熟度を判定し、表示切り替え部１０４は、ガイダンス情報が用意されている各機能ごとに、ガイダンス情報の表示を行うか否かを、習熟度のレベルに応じて個別に切り替えるようにしているので、機能設定部１０１が設定する機能の性質に合わせてガイダンス情報を表示させるか否かをより効果的に切り替えることができる。
【０１０２】
また、表示切り替え部１０４は、機能設定部１０１が設定する機能についてのガイダンス情報の表示が不要と判断した場合に、ガイダンス情報の代わりに習熟度のレベルを表示させることで、ガイダンス情報が表示されない理由をユーザに明確に認識させることができる。
【０１０３】
また、ガイダンス情報をＬＣＤモニタ１２に表示させる場合に、表示するガイダンス情報に対応した音声をスピーカ３から出力させるようにしているので、ユーザに対して視覚だけでなく聴覚によっても機能の内容や操作の仕方を認識させることができ、より効果的な操作支援を行うことができる。
【０１０４】
また、累積撮影コマ数カウント部１０２がカウントした累積撮影コマ数を日毎にリセットすることにより、デジタルカメラを最後に利用した日から長時間が経過することで機能の使い方などを忘れてしまうといったユーザの習性を習熟度の判定に反映させて、習熟度をより的確に判定し、ガイダンス情報の表示／非表示をより適切に切り替えることが可能となる。
【０１０５】
また、ガイダンス情報が用意されている各機能の前回設定時からの経過時間をカウントする経過時間カウント部１０５を付加し、習熟度判定部１０３が、累積撮影コマ数が多く、且つ、各機能の前回設定時からの経過時間が短いほど習熟度が高くなるように、各機能ごとの習熟度を判定することにより、機能ごとのガイダンス情報の表示／非表示の切り替えをより適切に行うことができる。
【０１０６】
また、ガイダンス情報が用意されている各機能の累積設定回数をカウントする累積設定回数カウント部１０６を付加し、習熟度判定部１０３が、累積撮影コマ数が多く、且つ、各機能の累積設定回数が多いほど習熟度が高くなるように、各機能ごとの習熟度を判定することにより、機能ごとのガイダンス情報の表示／非表示の切り替えをより適切に行うことができる。
【０１０７】
さらに、ガイダンス情報が用意されている各機能の前回設定時からの経過時間をカウントする経過時間カウント部１０５と、各機能の累積設定回数をカウントする累積設定回数カウント部１０６とを付加し、習熟度判定部１０３が、累積撮影コマ数が多く、且つ、各機能の前回設定時からの経過時間が短く、且つ、各機能の累積設定回数が多いほど習熟度が高くなるように、各機能ごとの習熟度を判定することにより、機能ごとのガイダンス情報の表示／非表示の切り替えをより適切に行うことができる。
【０１０８】
以上、本発明の具体的な実施形態について説明したが、本発明は、上述した実施形態そのままに限定されるものではなく、実施段階ではその要旨を逸脱しない範囲で構成要素を変形して具体化することができる。例えば、実施形態に係るデジタルスチルカメラの構成や動作はあくまで一例であり、用途や目的に応じて様々な変形が可能である。
【符号の説明】
【０１０９】
３  スピーカ（音声出力手段）
１２  ＬＣＤモニタ（表示手段）
４０  ＣＰＵ
４１  操作部（操作手段）
５８  フラッシュＲＯＭ（ガイダンス情報記憶手段）
１０１  機能設定部（設定手段）
１０２  累積撮影コマ数カウント部（累積撮影コマ数カウント手段）
１０３  習熟度判定部（習熟度判定手段）
１０４  表示切り替え部（表示切り替え手段）
１０５  経過時間カウント部（経過時間カウント手段）
１０６  累積設定回数カウント部（累積設定回数カウント手段）
【先行技術文献】
【特許文献】
【０１１０】
【特許文献１】特開２００６−１３９３３２号公報
【図１−１】
2012019341.tif 000003
【図１−２】
2012019341.tif 000004
【図１−３】
2012019341.tif 000005
【図２】
2012019341.tif 000006
【図３】
2012019341.tif 000007
【図４】
2012019341.tif 000008
【図５】
2012019341.tif 000009
【図６】
2012019341.tif 000010
【図７】
2012019341.tif 000011
【図８】
2012019341.tif 000012
【図９】
2012019341.tif 000013
【図１０】
2012019341.tif 000014
【図１１】
2012019341.tif 000015